(57)【要約】      （修正有）【課題】低コストで簡単なキー押下及び自動センシングを実現し、組み立て容易、軽重量、キー部分の配置可能な音声発生インタラクティブプラットフォーム及び音声の同期発生方法を提供する。【解決手段】音声発生装置は、電源モジュール及び電源モジュールに接続されるスピーカー２０１、音声チップ２０２及びセンシング基板２０３を含む。センシング基板には、Ｎ種類の音源と一対一で対応するとともに、対応する音源をスピーカーに出力して再生するよう音声チップを誘発するためのＮ個のキーが含まれている。特定のパターンを有するパズルをスイッチの接続点として用い、ユーザはパズルを組み合わせて使用することでプラットフォームに異なる音声を発生させインタラクティブ性を高める。【選択図】図１
2017086852.tif 000002
【特許請求の範囲】
【請求項１】
プラットフォーム本体と、当該プラットフォーム本体に設けられた音声発生装置及びキー装置を含む、音声を同期発生及び誘発再生するための音声発生インタラクティブプラットフォームにおいて、
前記音声発生装置は、電源モジュール及び電源モジュールにそれぞれ接続されるスピーカー、音声チップ、センシング基板を含み、当該スピーカーの入力端子と音声チップの出力端子が接続され、当該センシング基板の出力端子と音声チップの入力端子が接続され、当該音声チップにはＮ種類の音源が予め保存されており、センシング基板には、前記Ｎ種類の音源と一対一で対応するとともに、対応する音源をスピーカーに出力して再生するよう音声チップを誘発するＮ個のセンシング領域が設けられ、前記キー装置には、前記Ｎ個のセンシング領域に一対一で対応し、且つ対応するセンシング領域が反応するよう誘発するためのＮ個のキーが含まれており、Ｎ≧２である音声を同期発生及び誘発再生するための音声発生インタラクティブプラットフォーム。
【請求項２】
前記プラットフォーム本体は、電子書籍の書籍本体又はステージ本体である請求項１記載の音声を同期発生及び誘発再生するための音声発生インタラクティブプラットフォーム。
【請求項３】
前記センシング領域は、独立したコードパターンを有する印刷導電インク、コールドフォイル金属、ホットスタンプ金属又は硬質ＰＣＢであり、前記キーの底部には、センシング領域のコードパターンに対応する印刷導電インク、コールドフォイル金属、ホットスタンプ金属又は硬質ＰＣＢが設けられる請求項１又は２記載の音声を同期発生及び誘発再生するための音声発生インタラクティブプラットフォーム。
【請求項４】
前記キーは、パズル、カード又はプラスチック人形である請求項３記載の音声を同期発生及び誘発再生するための音声発生インタラクティブプラットフォーム。
【請求項５】
前記コードパターンは、ハート型、円形、矩形、楕円形又は三角形である請求項３又は４記載の音声を同期発生及び誘発再生するための音声発生インタラクティブプラットフォーム。
【請求項６】
前記キーの底部の導電インクの外側には、導電インクを遮蔽するための表装が設けられている請求項３〜５のいずれか１項記載の音声を同期発生及び誘発再生するための音声発生インタラクティブプラットフォーム。
【請求項７】
請求項１〜６のいずれか１項記載のインタラクティブプラットフォームを用いた音声の同期発生方法において、
（Ａ）電源が起動して、センシング基板上のＮ個のセンシング領域が待機モードに入るステップと、
（Ｂ）いずれかのキーが対応するセンシング領域に載置されると、センシング基板と音声チップ間におけるＮ本の音源チャンネルが全て起動し、センシング領域が反応した音源チャンネルが、対応する音源をスピーカーに出力して有声再生させるとともに、残りのチャンネルについては無声再生するステップと、
（Ｃ）残りのセンシング領域が対応するキーによって誘発されると、対応するチャンネルが有声再生に転じて、対応する音源を先のステップの出力音源に同期させて音声を発生させるステップと、を含む方法。
【請求項８】
前記ステップ（Ｂ）及び（Ｃ）において、音声が発生している音源に対応するキーがセンシング領域を離れると、当該音源は無声再生となる請求項７記載のインタラクティブプラットフォームを用いた音声の同期発生方法。
【発明の詳細な説明】
【技術分野】
【０００１】
本発明は音声発生インタラクティブプラットフォームに関し、特に、音声を同期発生及び誘発再生するための音声発生インタラクティブプラットフォームと音声の同期発生方法に関する。
【背景技術】
【０００２】
電子音声発生書籍は、児童の視覚、聴覚、動作の成長に有益な知育製品である。児童は、キーを押下することで本の内容に対応する音声又は音楽を再生できる。市販の音声発生インタラクティブプラットフォーム類製品の大部分は、キーにより単一の再生スイッチを制御するものであり、設計が単純でプレイアビリティが低い。また、この種の製品はインタラクティブ性に劣り、使用者による操作制御が不可能である。
【発明の概要】
【発明が解決しようとする課題】
【０００３】
上記の技術的課題を解決するために、本発明は、低コストで簡単にキー押下及び／又は自動センシングが可能であり、組み立てが容易なほか、軽重量で、キー部分を取り付け空間に応じて臨機応変に配置可能な音声発生インタラクティブプラットフォーム及び音声の同期発生方法を提供することを目的とする。
【課題を解決するための手段】
【０００４】
本発明では、以下の技術方案を用いた。
【０００５】
音声を同期発生及び誘発再生するための音声発生インタラクティブプラットフォームであって、プラットフォーム本体と、当該プラットフォーム本体に設けられた音声発生装置及びキー装置を含み、前記音声発生装置は、電源モジュール及び電源モジュールにそれぞれ接続されるスピーカー、音声チップ、センシング基板を含み、当該スピーカーの入力端子と音声チップの出力端子が接続され、当該センシング基板の出力端子と音声チップの入力端子が接続され、当該音声チップにはＮ種類の音源が予め保存されており、センシング基板には、前記Ｎ種類の音源と一対一で対応するとともに、対応する音源をスピーカーに出力して再生するよう音声チップを誘発するＮ個のセンシング領域が設けられ、前記キー装置には、前記Ｎ個のセンシング領域に一対一で対応し、且つ対応するセンシング領域が反応するよう誘発するためのＮ個のキーが含まれており、Ｎ≧２である。
【０００６】
好ましくは、前記プラットフォーム本体は電子書籍の書籍本体又はステージ本体、或いはその他異なる形式の装置である。
【０００７】
更に、前記センシング領域は、独立したコードパターンを有する印刷導電インク、コールドフォイル金属、ホットスタンプ金属又は硬質ＰＣＢ等であるが、これらに限らない。前記キーの底部には、センシング領域のコードパターンに対応する印刷導電インク、コールドフォイル金属、ホットスタンプ金属又は硬質ＰＣＢが設けられるが、これらに限らない。
【０００８】
更に、前記キーは、パズル、カード又はプラスチック人形等であるが、これらに限らない。
【０００９】
更に、前記コードパターンは、ハート型、円形、矩形、楕円形又は三角形、或いは規則的又は不規則な任意の形状である。
【００１０】
更に、前記キー底部の導電インクの外側には、導電インクを遮蔽するための表装が設けられている。いうまでもなく、導電インクを遮蔽する表装を設けなくてもよく、これにより機能が左右されることはない。
【００１１】
前記インタラクティブプラットフォームを用いた音声の同期発生方法は、（Ａ）電源が起動して、センシング基板上のＮ個のセンシング領域が待機モードに入るステップと、（Ｂ）いずれかのキーが対応するセンシング領域に載置されると、センシング基板と音声チップ間におけるＮ本の音源チャンネルが全て起動し、センシング領域が反応した音源チャンネルが、対応する音源をスピーカーに出力して有声再生させるとともに、残りのチャンネルについては無声再生するステップと、（Ｃ）残りのセンシング領域が対応するキーによって誘発されると、対応するチャンネルが有声再生に転じて、対応する音源を先のステップの出力音源に同期させて音声を発生させるステップと、を含む。
【００１２】
更に、前記ステップ（Ｂ）及び（Ｃ）において、音声が発生している音源に対応するキーがセンシング領域を離れると、当該音源は無声再生となる。
【発明の効果】
【００１３】
本発明は、以下のような有益な効果を有する。
【００１４】
１）本発明のインタラクティブプラットフォーム及び音声の同期発生方法では、特定のパターンを有するパズルをスイッチの接続点として用いており、ユーザはパズルを組み合わせて使用することでプラットフォームに異なる音声を発生させられるため、面白さとインタラクティブ性が高まる。
【００１５】
２）本発明のセンシング基板は、パズルに対応する音声を正確に識別可能である。センシングチップは、パズル、カード又はプラスチック人形に特有の導電インク、コールドフォイル金属、ホットスタンプ金属又は硬質ＰＣＢ等の導電性媒体の静電容量値を感知及び検出することで、媒体における導電パターンの読み取りを実現する。よって、パズルを別の位置に載置したとしても正確に音声を発生させられる。
【００１６】
３）本発明は印刷技術を用いており、内容の異なるパズルを印刷によって表現するため、操作が簡単でインタラクティブ性に優れている。  
【００１７】
以下に、図面を組み合わせて本発明の具体的実施形態について更に説明する。
【図面の簡単な説明】
【００１８】
【図１】図１は、本発明におけるインタラクティブプラットフォームの第１実施例の構造を示す図である。
【図２】図２は、本発明における第１実施例の音声発生装置の原理ブロック図である。
【図３】図３は、本発明における第１実施例のセンシング基板の分解図である。
【図４】図４は、本発明における第１実施例のセンシング領域形状を示す図である。
【図５】図５は、本発明における第１実施例の複数組のセンシング領域を示す図である。
【図６】図６は、本発明における第１実施例の拡大型センシング領域を示す図である。
【図７】図７は、本発明における第１実施例のパズルの分解図である。
【図８】図８は、本発明における第２実施例の構造を示す図である。
【図９】図９は、本発明における第２実施例のキー及びそのコードパターンを示す図である。
【図１０】図１０は、本発明における第２実施例のキーのその他形状を示す図である。
【図１１】図１１は、本発明における第２実施例のキーのその他形状を示す図である。
【図１２】図１２は、本発明における第２実施例のキーのその他形状を示す図である。
【図１３】図１３は、本発明における第２実施例のキーのその他形状を示す図である。
【発明を実施するための形態】
【００１９】
図１〜７を参照して、本発明の音声を同期発生及び誘発再生する電子音声発生書籍は、書籍本体と、当該書籍本体に設けられる音声発生装置２０及びキー装置を含む。当該書籍本体には、書籍表面、書籍底及び複数のページが設けられ、前記音声発生装置２０は書籍底の内部又は書籍側に取り付けられて固定されている。
【００２０】
図２に示すように、前記音声発生装置２０は、電源モジュール及び電源モジュールにそれぞれ接続されるスピーカー２０１、音声チップ２０２及びセンシング基板２０３を含む。本実施例において、電源モジュールは電池２０４である。当該スピーカー２０１の入力端子と音声チップ２０２の出力端子が接続され、当該センシング基板２０３の出力端子と音声チップ２０２の入力端子が接続されている。当該音声チップ２０２には、音源Ａ，Ｂ，Ｃ，Ｄが予め保存されている。
【００２１】
センシング基板２０３には、４種類の音源と一対一で対応するとともに、対応する音源をスピーカー２０１に出力して再生するよう音声チップ２０２を誘発するＡ，Ｂ，Ｃ，Ｄのセンシング領域２０５が設けられている。前記キー装置には、前記４つのセンシング領域２０５に一対一で対応し、且つ対応するセンシング領域２０５が反応するよう誘発するための４つのキー２０６が含まれる。本実施例においてキー２０６はパズルであり、図３に示すように、それぞれパズルＡ、パズルＢ、パズルＣ、パズルＤとされる。
【００２２】
また、前記インタラクティブプラットフォームにおける音声の同期発生方法としては、（Ａ）電源が起動して、センシング基板２０３上のＮ個のセンシング領域２０５が待機モードに入るステップと、（Ｂ）いずれかのキー２０６が対応するセンシング領域２０５に載置されると、センシング基板２０３と音声チップ２０２間におけるＮ本の音源チャンネルが全て起動し、センシング領域２０５が反応した音源チャンネルが、対応する音源をスピーカー２０１に出力して有声再生させるとともに、残りのチャンネルについては無声再生するステップと、（Ｃ）残りのセンシング領域２０５が対応するキー２０６によって誘発されると、対応するチャンネルが有声再生に転じて、対応する音源を先のステップの出力音源に同期させて音声を発生させるステップと、を含む。
【００２３】
前記ステップ（Ｂ）及び（Ｃ）において、音声が発生している音源に対応するキー２０６がセンシング領域２０５を離れると、当該音源は無声再生となる。
【００２４】
本実施例のパズル本の場合には、４つの異なるパズル（パズルＡ、パズルＢ、パズルＣ、パズルＤ）を有し、それぞれが４つの異なる音源（音源Ａ、音源Ｂ、音源Ｃ、音源Ｄ）を制御する。パズルＡをセンシング領域２０５Ａに載置するだけで、音源Ａが音声を再生し、更にパズルＢをセンシング領域２０５Ｂに載置すると、音源Ａと音源Ｂが同期して音声を再生する。このようにして、全てのパズル（パズルＡ、パズルＢ、パズルＣ、パズルＤ）がセンシング領域２０５Ａ、センシング領域２０５Ｂ、センシング領域２０５Ｃ、センシング領域２０５Ｄに載置されると、音源Ａ、音源Ｂ、音源Ｃ及び音源Ｄが同期して音声を再生する。途中でパズルＢがセンシング領域２０５Ｂから持ち去られた場合、音源Ｂは音声を発生しなくなり、残りの音源Ａ、音源Ｃ及び音源Ｄだけが音声を同期発生させる。
【００２５】
本実施例において、センシングプレートはフレキシブルプリント基板とし、プリント基板は導電インクを媒体面に印刷してなる。媒体としては、ＰＥＴ、ゴム、木、紙等があるが、これらに限らない。また、センシングプレートはフレキシブルプリント基板に限らず硬質ＰＣＢ等としてもよいが、これに限らない。前記センシング領域２０５は、独立したコードパターンを有する印刷導電インクからなり、前記キー２０６の底部には、センシング領域２０５のコードパターンに対応する印刷導電インクが設けられている（コールドフォイル金属、ホットスタンプ金属又は硬質ＰＣＢ等としてもよいが、これらに限らない）。また、図７に示すように、キー２０６底部の導電インク外側には、導電インクを遮蔽するための表装２０７を設けてもよい。導電インクは、パズルの底部全体にわたって印刷してもよいし、なんらかのパターン又は形状を印刷してもよいが、パターン又は形状はセンシング領域２０５のパターン又は形状と略一致していなければならない。ただし、完全に一致させる必要はない。
【００２６】
本実施例において、センシング領域２０５の形状は正方形であり、且つグリッド状とされる。ただし、センシング領域２０５の形状は、正方形、矩形、円形又はどのような形状であってもよい（図４）。更に、センシング領域２０５はグリッド状であってもよいし、ベタ塗りとしてもよい。各音源チャンネルは、２つのセンシング領域２０５によって誘発される（１つのセンシング領域２０５又は複数のセンシング領域２０５としてもよい（図５））。センシング領域２０５の寸法や形態は調整可能であるが（図６）、一般的には表装の厚み、導電インクのインピーダンス等の要素によって決定される。
【００２７】
図８〜図１３に示すように、本発明の第２実施例において、音声を同期発生又は誘導再生するためのインタラクティブステージは、ステージ本体３０及び音声発生装置２０、キーモジュールを含む。当該電源モジュールは、商用電源を変換するための駆動装置であればよい。本実施例における音声発生装置２０は、当該ステージにおいて４つの円型センシングプレート２０７を有する。センシングプレート２０７としては、印刷導電インク、コールドフォイル金属、ホットスタンプ金属又は従来のＰＣＢ等が可能であるが、これらに限らず、各センシングプレートは独立したリーダーとしてもよい（図８）。
【００２８】
リーダー上に載置されるキー２０６としては、カード、プラスチック人形等が可能であるが、これらに限らない。キー２０６の底部には独立したコード（図９）が印刷されており、印刷導電インク、コールドフォイル金属、ホットスタンプ金属又は従来のＰＣＢ等が可能であるが、これらに限らない。また、図例では円型としているが、例えばハート型、矩形又は規則的又は不規則な任意の形状というように、その他の異なる形状としてもよい（図１０〜図１３）。独立したコードを備えた任意のカード又は人形を任意のリーダー上に載置するだけで、当該リーダーは当該カード又は人形（識別コードＡ）の特性を識別し、対応する音源の音声を再生するよう電子部品に通知する（音源Ａの音声を再生する）。一方、残りの音源は再生されるが音声は発生しない（音源Ｂ，Ｃ，Ｄは再生されるが音声は発生しない）。
【００２９】
続いて、独立したコードを備えた別のカード又は人形（識別コードＢ）を残りの任意のリーダー上に載置すると、当該リーダーは当該カード又は人形の特性を識別し、対応する音源の音声を再生するよう電子部品に通知する（音源Ｂの音声を再生する）。一方、残りの音源は再生されるが音声は発生しない（音源Ｃ，Ｄは再生されるが音声は発生しない）。２つのカード又は人形（識別コードＡ及びＢ）が２つの異なるリーダー上に載置されていることから、音源Ａ及び音源Ｂは同時に音声を再生する。
【００３０】
同様に、識別コードＣ、識別コードＤのカード又は人形を異なるリーダー上に載置すれば、更に多くの音源を同期させられる。なお、当該技術における識別コード及びリーダーは無限に拡張可能である。
【００３１】
以上は本発明の好ましい実施形態にすぎない。本発明は上記の実施形態に限定されず、同様の手段で本発明の目的を実現可能な技術方案であれば、いずれも本発明の保護の範囲とみなされる。
【図１】
2017086852.tif 000003
【図２】
2017086852.tif 000004
【図３】
2017086852.tif 000005
【図４】
2017086852.tif 000006
【図５】
2017086852.tif 000007
【図６】
2017086852.tif 000008
【図７】
2017086852.tif 000009
【図８】
2017086852.tif 000010
【図９】
2017086852.tif 000011
【図１０】
2017086852.tif 000012
【図１１】
2017086852.tif 000013
【図１２】
2017086852.tif 000014
【図１３】
2017086852.tif 000015